(57)【要約】      （修正有）【課題】消費電力を一層低減させることが可能なレンズ駆動装置を提供する。【解決手段】レンズ駆動装置は、レンズ体を保持可能なレンズ保持部材１２と、レンズ保持部材１２を光軸方向へ移動可能に支持する付勢部材１６と、付勢部材１６の一部を固定する固定部材Ｒ１と、レンズ保持部材１２を光軸方向に沿って移動させる移動機構Ｍ１と、を備える。固定部材Ｒ１には、レンズ保持部材１２の上部に設けられた第１当接部１２ｆと当接可能な第１受け部１４ｒと、レンズ保持部材１２の下部に設けられた第２当接部１２ｇと当接可能な第２受け部１８ｕと、が設けられており、光軸方向が鉛直方向に対して直交する水平方向となるようにレンズ保持部材１２を向けてコイル１３に通電しない状態である初期状態において、第１当接部１２ｆと第１受け部１４ｒとの間の距離Ｄ１が、第２当接部１２ｇと第２受け部１８ｕとの間の距離Ｄ２よりも大きい。【選択図】図１５
0003186519.tif 000002
【実用新案登録請求の範囲】
【請求項１】
撮像素子の上方に配置されるレンズ体を保持可能な筒状のレンズ保持部材と、
該レンズ保持部材を光軸方向へ移動可能に支持する付勢部材と、
該付勢部材の一部を固定する固定部材と、
磁石、コイル及びヨークを有して構成され前記レンズ保持部材を光軸方向に沿って移動させる移動機構と、を備えたレンズ駆動装置において、
前記付勢部材は、前記レンズ保持部材の上部に固定される上側板ばねと、
該上側板ばねに対向配置されるとともに前記レンズ保持部材の下部に固定される下側板ばねと、からなり、
前記固定部材には、前記レンズ保持部材の上部に設けられた第１当接部と当接可能な第１受け部と、
前記レンズ保持部材の下部に設けられた第２当接部と当接可能な第２受け部と、が設けられており、
前記光軸方向が鉛直方向に対して直交する水平方向となるように前記レンズ保持部材を向けて前記コイルに通電しない状態を初期状態とし、該初期状態において、前記第１当接部と前記第１受け部との間の距離が、前記第２当接部と前記第２受け部との間の距離よりも大きいことを特徴とするレンズ駆動装置。
【請求項２】
前記初期状態において、前記上側板ばねと下側板ばねは、前記光軸方向に対して互いに異なる方向に前記レンズ保持部材を付勢していることを特徴とする請求項１に記載のレンズ駆動装置。
【請求項３】
前記上側板ばね及び下側板ばねが、それぞれ、前記レンズ保持部材に固定される第１部分と、前記固定部材側に固定される第２部分と、前記第１部分と前記第２部分との間に位置する弾性腕部と、を有し、
前記初期状態において、前記上側板ばねが前記レンズ保持部材を前記下側板ばねから離れる方向へ付勢するとともに、前記下側板ばねが前記レンズ保持部材を前記上側板ばねから離れる方向へ付勢していることを特徴とする請求項２に記載のレンズ駆動装置。
【請求項４】
前記上側板ばねの前記第２部分と前記下側板ばねの前記第２部分との間に、前記磁石が配設されていることを特徴とする請求項３に記載のレンズ駆動装置。
【請求項５】
前記上側板ばねと前記下側板ばねの板厚が同じであることを特徴とする請求項１ないし請求項４のいずれかに記載のレンズ駆動装置。
【考案の詳細な説明】
【技術分野】
【０００１】
本考案は、例えばカメラ付き携帯機器に搭載されるレンズ駆動装置に関する。
【背景技術】
【０００２】
近年、携帯電話に代表される携帯機器にカメラ機構が搭載されているのは一般的となってきた。そして、この小型の携帯機器に搭載されるカメラ機構の主要部品であるレンズ駆動装置には、小型化の要求に加え、精度良くレンズ体を駆動させるという要求が高まってきた。この２つの要求を満たすべきレンズ駆動装置として、レンズホルダを駆動するための磁気回路をレンズホルダの四方に設けたものが良く知られている。
【０００３】
上述したレンズ駆動装置として、特許文献１（従来例）では、図１８及び図１９に示すようなレンズ駆動装置９０１が提案されている。図１８は、従来例のレンズ駆動装置９０１を説明する分解斜視図である。図１９は、従来例のレンズ駆動装置９０１を説明する図であって、図１９（ａ）は、レンズ支持体９０５が初期位置にあるときを示した側面図であり、図１９（ｂ）は、レンズ支持体９０５が前方に移動したときを示した側面図であり、図１９（ｃ）は、レンズ支持体９０５が後方に移動したときを示した側面図である。
【０００４】
図１８に示すレンズ駆動装置９０１は、内周にレンズ（図示していない）を支持するレンズ支持体（レンズホルダ）９０５と、内周側にレンズ支持体９０５を移動自在に設けたヨーク９０３と、ヨーク９０３の光軸方向前側に配置されるフレーム９０７及び前側スプリング９０９と、ヨーク９０３の後側に配置されるベース９０８及び後側スプリング９１１と、ヨーク９０３の各角部に固定されている４つの駆動用マグネット９１３と、を備えている。更に、ヨーク９０３と後側スプリング９１１との間には、絶縁性の後側スペーサ９１５が配置されているとともに、ヨーク９０３と前側スプリング９０９との間には、絶縁性の前側スペーサ９１７が配置されている。また、レンズ支持体９０５の外周には、コイル９０４が固定されている。そして、ヨーク９０３とコイル９０４と４つの駆動用マグネット９１３とで、レンズ支持体９０５の四方に磁気回路を設け、光軸方向に推力を発生させ、この推力と一対のスプリング（前側スプリング９０９及び後側スプリング９１１）の弾性力（反発力）とのバランスで、レンズ支持体９０５を光軸方向に移動させている。
【０００５】
また、図１９に示すように、レンズ駆動装置９０１は、レンズ駆動装置９０１を組み立てた状態において、レンズ支持体９０５が初期位置にあるときには、前側スプリング９０９及び後側スプリング９１１は、図１９（ａ）に示すような平坦な形状となっており、前側スプリング９０９の外周側部９０９ａと内周側部９０９ｂとが略同一平面としてあり、後側スプリング９１１の外周側部９１１ａと内周側部９１１ｂとが略同一平面としている。そして、レンズ支持体９０５の初期位置は、被写体の撮影位置が最大接近位置（マクロ位置）のときのレンズ位置“＋Ｐ１”（図１（ｂ））から無限遠位置のときのレンズ位置“−Ｐ１”（図１（ｃ））の間の中間のレンズ位置“Ｐ０”に設定してある。
【先行技術文献】
【特許文献】
【０００６】
【特許文献１】特開２０１２−８８５３４
【考案の概要】
【考案が解決しようとする課題】
【０００７】
しかしながら、実際に、被写体を撮影する場合、１ｍ以内のズームアップで撮影する場合より、１ｍ以上離れた位置で撮影する場合が多く、無限遠位置とマクロ位置との中間位置よりも無限遠位置寄りにレンズが位置する場合が多い。このため、レンズを無限遠位置寄りに位置させるために、撮影の度毎に電流を流す必要があった。特に、動画モードなどで連続して撮影する場合、レンズの位置を所定の位置（無限遠位置寄りの位置の場合が多い）に保持しなければいけなく、電流を流し続けなければいけなかった。このため、この電流量がわずかであっても、消費電力は大きくなるという課題があった。
【０００８】
本考案は、上述した課題を解決するもので、消費電力を一層低減させることが可能なレンズ駆動装置を提供することを目的とする。
【課題を解決するための手段】
【０００９】
この課題を解決するために、本考案のレンズ駆動装置は、撮像素子の上方に配置されるレンズ体を保持可能な筒状のレンズ保持部材と、該レンズ保持部材を光軸方向へ移動可能に支持する付勢部材と、該付勢部材の一部を固定する固定部材と、磁石、コイル及びヨークを有して構成され前記レンズ保持部材を光軸方向に沿って移動させる移動機構と、を備えたレンズ駆動装置において、前記付勢部材が、前記レンズ保持部材の上部に固定される上側板ばねと、該上側板ばねに対向配置されるとともに前記レンズ保持部材の下部に固定される下側板ばねと、からなり、前記固定部材には、前記レンズ保持部材の上部に設けられた第１当接部と当接可能な第１受け部と、前記レンズ保持部材の下部に設けられた第２当接部と当接可能な第２受け部と、が設けられており、前記光軸方向が鉛直方向に対して直交する水平方向となるように前記レンズ保持部材を向けて前記コイルに通電しない状態を初期状態とし、該初期状態において、前記第１当接部と前記第１受け部との間の距離が、前記第２当接部と前記第２受け部との間の距離よりも大きいことを特徴としている。
【００１０】
これによれば、本考案のレンズ駆動装置は、被写体に対して無限遠位置とマクロ位置の中間よりも無限遠位置側にレンズ保持部材が配置されていることとなる。このため、初期状態におけるレンズ体の位置を一般的に用いられる常用位置（通常位置、無限遠位置寄りの位置）により近づけることができるので、コイルに流す電流は不要か極めて少ないものとできる。このことにより、被写体を撮影する際の消費電力を低減させることが可能となる。
【００１１】
また、本考案のレンズ駆動装置は、前記初期状態において、前記上側板ばねと下側板ばねが、前記光軸方向に対して互いに異なる方向に前記レンズ保持部材を付勢していることを特徴としている。
【００１２】
これによれば、上側板ばねと下側板ばねが光軸方向に対して互いに異なる方向にレンズ保持部材を付勢しているので、光軸方向にレンズ保持部材を移動させた際にも、レンズ保持部材に対して付勢方向にプリテンションが常にかかるように構成することができる。すなわち、上側板ばね及び下側板ばねがレンズ保持部材を付勢する付勢方向を反転（逆転）させない領域で、レンズ保持部材を移動させてレンズ駆動装置を使用することができる。このため、電流量に応じて円滑にレンズ保持部材を移動させることができ、より精度の良いレンズ駆動装置を提供することができる。
【００１３】
また、本考案のレンズ駆動装置は、前記上側板ばね及び下側板ばねが、それぞれ、前記レンズ保持部材に固定される第１部分と、前記固定部材側に固定される第２部分と、前記第１部分と前記第２部分との間に位置する弾性腕部と、を有し、前記初期状態において、前記上側板ばねが前記レンズ保持部材を前記下側板ばねから離れる方向へ付勢するとともに、前記下側板ばねが前記レンズ保持部材を前記上側板ばねから離れる方向へ付勢していることを特徴としている。
【００１４】
これによれば、上側板ばねがレンズ保持部材を上方側へ付勢するとともに、下側板ばねがレンズ保持部材を下方側へ付勢しているので、上側板ばねの第１部分と下側板ばねの第１部分との間の距離より、上側板ばねの第２部分と下側板ばねの第２部分との間の距離を大きくしている。このため、互いにレンズ保持部材を押し付けあう方向へ付勢する場合に比べて、上側板ばねの第２部分と下側板ばねの第２部分との間の距離を大きくすることができる。このことにより、磁石やコイル等の移動機構を配置する収容スペースをより大きくとることができ、レンズ駆動装置を小型化しても、推力を維持することが可能となる。
【００１５】
また、本考案のレンズ駆動装置は、前記上側板ばねの前記第２部分と前記下側板ばねの前記第２部分との間に、前記磁石が配設されていることを特徴としている。
【００１６】
これによれば、上側板ばねの第２部分と下側板ばねの第２部分との間に、磁石が配設されているので、磁石の収容スペースをより大きくでき、レンズ駆動装置を小型化しても、推力を維持することが可能となる。また、必要な推力によっては、磁石の数を減らすことも可能となる。
【００１７】
また、本考案のレンズ駆動装置は、前記上側板ばねと前記下側板ばねの板厚が同じであることを特徴としている。
【００１８】
これによれば、上側板ばねと下側板ばねの板厚が同じなので、同じ材料を用いて製造することができ、上側板ばねと下側板ばねを容易に作製することができる。しかも、ばね定数を決める際に、同じ材料、板厚で設計（計算）できるので、容易にばね定数を所望の値に合わせることができる。
【考案の効果】
【００１９】
本考案のレンズ駆動装置は、被写体に対して無限遠位置とマクロ位置の中間よりも無限遠位置側にレンズ保持部材が配置されていることとなる。このため、初期状態におけるレンズ体の位置を一般的に用いられる常用位置（通常位置、無限遠位置寄りの位置）により近づけることができるので、コイルに流す電流は不要か極めて少ないものとできる。このことにより、被写体を撮影する際の消費電力を低減させることが可能となる。
【図面の簡単な説明】
【００２０】
【図１】本考案の第１実施形態のレンズ駆動装置を説明する分解斜視図である。
【図２】本考案の第１実施形態のレンズ駆動装置を説明する図であって、図２（ａ）は、レンズ駆動装置の斜視図であり、図２（ｂ）は、図２（ａ）に示すＹ２側から見た正面図である。
【図３】本考案の第１実施形態のレンズ駆動装置を説明する図であって、図３（ａ）は、図２（ａ）に示すＺ１側から見た上面図であり、図３（ｂ）は、図２（ａ）に示すＺ２側から見た底面図である。
【図４】本考案の第１実施形態のレンズ駆動装置を説明する図であり、図４（ａ）は、図３（ａ）に示す上面図においてヨークとスペーサを省略した上面図であり、図４（ｂ）は、図３（ｂ）に示す底面図においてベース部材を省略した底面図である。
【図５】本考案の第１実施形態のレンズ駆動装置を説明する斜視図であって、図５（ａ）は、図２（ａ）に示す斜視図においてヨークを省略した図であり、図５（ｂ）は、図５（ａ）に示す斜視図においてスペーサを省略した図である。
【図６】本考案の第１実施形態のレンズ駆動装置を説明する図であって、図６（ａ）は、図５（ｂ）に示す図をＸ１側から見た側面図であり、図６（ｂ）は、図５（ｂ）に示す図をＹ２側から見た正面図である。
【図７】本考案の第１実施形態のレンズ駆動装置を説明する図であって、図７（ａ）は、レンズ保持部材の上方斜視図であり、図７（ｂ）は、レンズ保持部材の下方斜視図である。
【図８】本考案の第１実施形態のレンズ駆動装置におけるヨークを説明する図であって、図８（ａ）は、図１に示すＺ１側から見た上面斜視図であり、図８（ｂ）は、図１に示すＺ２側から見た底面斜視図である。
【図９】本考案の第１実施形態のレンズ駆動装置を説明する図であって、図１に示すベース部材に下側板ばねを組み付けた斜視図である。
【図１０】本考案の第１実施形態のレンズ駆動装置におけるスペーサを説明する図であって、図１０（ａ）は、図１に示すＺ１側から見た上面斜視図であり、図１０（ｂ）は、図１に示すＺ２側から見た底面斜視図である。
【図１１】本考案の第１実施形態のレンズ駆動装置を説明する図であって、図３（ａ）に示すＸＩ−ＸＩ線における断面図である。
【図１２】本考案の第１実施形態のレンズ駆動装置を説明する図であって、図１１に示すＰ部分の拡大断面図である。
【図１３】本考案の第１実施形態のレンズ駆動装置を説明する図であって、図３（ａ）に示すＸＩＩＩ−ＸＩＩＩ線における断面図である。
【図１４】本考案の第１実施形態のレンズ駆動装置を説明する図であって、図３（ａ）に示すＸＩＶ−ＸＩＶ線における断面図である。
【図１５】本考案の第１実施形態のレンズ駆動装置を説明する図であって、図１５（ａ）は、図１３に示すＱ部分の拡大断面図であり、図１５（ｂ）は、図１４に示すＲ部分の拡大断面図である。
【図１６】本考案の第１実施形態のレンズ駆動装置における付勢部材を示す図であって、図１６（ａ）は、上側板ばねの上面図であり、図１６（ｂ）は、上側板ばねの正面図である。
【図１７】本考案の第１実施形態のレンズ駆動装置における付勢部材を示す図であって、図１７（ａ）は、下側板ばねの上面図であり、図１７（ｂ）は、下側板ばねの正面図である。
【図１８】従来例のレンズ駆動装置の分解斜視図である。
【図１９】従来例のレンズ駆動装置を説明する図であって、図１９（ａ）は、レンズ支持体が初期位置にあるときを示した側面図であり、図１９（ｂ）は、レンズ支持体が前方に移動したときを示した側面図であり、図１９（ｃ）は、レンズ支持体が後方に移動したときを示した側面図である。
【考案を実施するための形態】
【００２１】
以下、本考案の実施の形態について図面を参照して説明する。
【００２２】
［第１実施形態］
図１は、本考案の第１実施形態のレンズ駆動装置１０１を説明する分解斜視図である。図２は、本考案の第１実施形態のレンズ駆動装置１０１を説明する図であって、図２（ａ）は、レンズ駆動装置１０１の斜視図であり、図２（ｂ）は、図２（ａ）に示すＹ２側から見た正面図である。図３は、本考案の第１実施形態のレンズ駆動装置１０１を説明する図であって、図３（ａ）は、図２（ａ）に示すＺ１側から見た上面図であり、図３（ｂ）は、図２（ａ）に示すＺ２側から見た底面図である。
【００２３】
本考案の第１実施形態のレンズ駆動装置１０１は、図１ないし図３に示すように、レンズ体（図示していない）を保持可能な筒状のレンズ保持部材１２と、レンズ保持部材１２をレンズ体の光軸方向に沿って移動させる移動機構Ｍ１と、レンズ保持部材１２を光軸方向へ移動可能に支持する付勢部材１６と、付勢部材１６の一部を固定する固定部材Ｒ１と、を備えて構成される。そして、付勢部材１６は、レンズ保持部材１２の上部に固定される上側板ばね１６Ａと、レンズ保持部材１２の下部に固定される２つの下側板ばね（１６Ｃ、１６Ｅ）と、を備えて構成される。
【００２４】
また、移動機構Ｍ１は、８角形の環状に巻かれたコイル１３と、矩形状で環状のヨーク１４と、複数の磁石１５と、を備えて構成される。また、固定部材Ｒ１は、端子７が埋め込まれたベース部材１８と、ヨーク１４と付勢部材１６（上側板ばね１６Ａ）との間に配設されたスペーサ１９とを有し、前述したヨーク１４及び磁石１５の一部も、固定部材Ｒ１の一部の機能を担っている。
【００２５】
そして、レンズ駆動装置１０１は、図示しないレンズ体をレンズ保持部材１２に保持し、図示しない撮像素子を実装した基板上に取り付けられ、コイル１３に電源より通電されて生じる電磁力により、撮像素子の上方に配置されるレンズ保持部材１２をレンズ体の光軸方向（図２（ａ）に示すＺ方向）に沿って移動させるものである。つまり、レンズ駆動装置１０１は、撮像素子に対して、レンズ体に保持されたレンズを離れる方向に移動させてマクロ撮影を可能にし、レンズ体に保持されたレンズを近づける方向に移動させて無限遠撮影を可能にしている。
【００２６】
図４は、本考案の第１実施形態のレンズ駆動装置を説明する図であり、図４（ａ）は、図３（ａ）に示す上面図においてヨーク１４とスペーサ１９を省略した上面図であり、図４（ｂ）は、図３（ｂ）に示す底面図においてベース部材１８を省略した底面図である。図５は、本考案の第１実施形態のレンズ駆動装置を説明する斜視図であって、図５（ａ）は、図２（ａ）に示す斜視図においてヨーク１４を省略した図であり、図５（ｂ）は、図５（ａ）に示す斜視図においてスペーサ１９を省略した図である。図６は、本考案の第１実施形態のレンズ駆動装置を説明する図であって、図６（ａ）は、図５（ｂ）に示す図をＸ１側から見た側面図であり、図６（ｂ）は、図５（ｂ）に示す図をＹ２側から見た正面図である。図７は、本考案の第１実施形態のレンズ駆動装置を説明する図であって、図７（ａ）は、レンズ保持部材１２の上方斜視図であり、図７（ｂ）は、レンズ保持部材１２の下方斜視図である。図８は、本考案の第１実施形態のレンズ駆動装置におけるヨーク１４を説明する図であって、図８（ａ）は、図１に示すＺ１側から見た上面斜視図であり、図８（ｂ）は、図１に示すＺ２側から見た底面斜視図である。
【００２７】
レンズ保持部材１２は、図１、図５及び図７に示すように、筒状に形成されており、円形の外周面及び内周面を有する筒部１２ｓと、筒部１２ｓの下端の外周面から径方向外側に突出した鍔部１２ｖとから構成されている。
【００２８】
また、レンズ保持部材１２の上部に位置する筒部１２ｓの上端には、図７（ａ）に示すように、対向する２箇所（図７（ａ）に示すＹ方向の２箇所）に、光軸方向に突出した凸状の第１当接部１２ｆ（１２ｆ１、１２ｆ２、１２ｆ３、１２ｆ４）がそれぞれ２つ設けられている。また、図７に示すように、筒部１２ｓの内周面には、雌ねじ部１２ｎが形成されており、この雌ねじ部１２ｎに図示しないレンズ体が装着され、保持される。また、筒部１２ｓの外周面には、コイル１３を内側から支持するコイル支持部１２ｊが均等に４箇所設けられ、コイル支持部１２ｊの一端側には、鍔部１２ｖと対向して径方向外側に突出した庇部１２ｈが４箇所形成されている。
【００２９】
また、レンズ保持部材１２の庇部１２ｈには、図７に示すように、対向する１組の庇部１２ｈ（図７に示すＸ方向の１組）の上面に、それぞれの凹部１２ｒが２箇所形成されている。
【００３０】
また、レンズ保持部材１２の下部の底面には、図４（ｂ）及び図７（ｂ）に示すように、下方（図４（ｂ）の紙面の手前側、図７（ｂ）に示すＺ２方向）に突出した凸状の第２当接部１２ｇがそれぞれ対向する箇所に２つ（１２ｇ１、１２ｇ２）設けられているとともに、下方に突出する凸設部１２ｔが４箇所（１２ｔ１、１２ｔ２、１２ｔ３、１２ｔ４）設けられている。
【００３１】
移動機構Ｍ１のコイル１３は、図１に示すように、環状形状で８角形状の角度を有して導線を巻回して形成されている。また、コイル１３は、図４（ａ）、図５及び図６に示すように、レンズ保持部材１２の筒部１２ｓの周囲を囲む位置に配設され、コイル支持部１２ｊにより内側から支持された状態で、コイル１３の一部が庇部１２ｈと鍔部１２ｖに挟まれるようにして、鍔部１２ｖの上面に固定されている。そして、コイル１３の内周面１３ｐがコイル支持部１２ｊにより等方的にバランス良く支持されるため、コイル１３の中心軸とレンズ保持部材１２の中心軸とが一致した状態でレンズ保持部材１２に保持される。これにより、レンズ保持部材１２の雌ねじ部１２ｎにより保持されたレンズの中心軸とレンズ体の光軸とを容易に一致させ易くなる。
【００３２】
移動機構Ｍ１のヨーク１４は、図１ないし図３、及び図８に示すように、外形が箱状に形成され、レンズ保持部材１２及びコイル１３を収容部１４ｓに収容するとともに覆うようにして、ベース部材１８に係合されている。また、ヨーク１４は、外側の環状の外ヨーク１４Ａと、外ヨーク１４Ａの上端（図２に示すＺ１側）と連続して設けられた平板状の上面部１４Ｂと、上面部１４Ｂの開口部１４ｋの一部から下方（図２に示すＺ２方向）に延設された４つの内ヨーク１４Ｃと、を有して構成されている。また、上面部１４Ｂには、対向する２箇所に、貫通穴（１４ａ、１４ｂ）が設けられている。
【００３３】
また、ヨーク１４には、レンズ駆動装置１０１が組み立てられた際に、レンズ保持部材１２の上部に設けられた第１当接部１２ｆ（１２ｆ１、１２ｆ２、１２ｆ３、１２ｆ４）と対向する位置に、図８（ｂ）に示すように、第１受け部１４ｒ（１４ｒ１、１４ｒ２、１４ｒ３、１４ｒ４）を有している。この第１受け部１４ｒは、マクロ撮影のため、マクロ位置側にレンズ保持部材１２が移動した際に、レンズ保持部材１２の上部に設けられた第１当接部１２ｆと当接が可能になっており、レンズ保持部材１２が他の部品よりも最優先でこのヨーク１４に当接する。
【００３４】
また、外ヨーク１４Ａは、図４（ｂ）に示すように、平面視して、矩形状をしており、内ヨーク１４Ｃは、平面視して、円弧状に形成され、外ヨーク１４Ａの４つの角部に対向するように、等間隔で配設されている。
【００３５】
また、レンズ駆動装置１０１が組み立てられた際に、内ヨーク１４Ｃのそれぞれは、レンズ保持部材１２の筒部１２ｓの外周面に沿って配設されるとともに、コイル１３の内周面１３ｐと対向して配設される。更に、内ヨーク１４Ｃのそれぞれは、コイル１３を挟んで、磁石１５のそれぞれと対向する位置に配設されている。なお、ヨーク１４を絞り加工で作製する際には、ヨーク１４の内ヨーク１４Ｃが円弧状であるので、容易に絞り加工を行うことができる。このため、ヨーク１４の内ヨーク１４Ｃの形状及び配設の位置の精度を高めることができる。
【００３６】
移動機構Ｍ１の磁石１５は、図１に示すように、断面形状が台形形状で、平板状の外形をしており、４つの磁石１５（１５Ａ、１５Ｂ、１５Ｃ、１５Ｄ）が、図４（ａ）、図５及び図６に示すように、コイル１３の外側に位置するとともに、ヨーク１４の四隅に等分に配設されている。
【００３７】
また、磁石１５の台形形状における傾斜する２つの外側面１５ｖは、外ヨーク１４Ａに沿った形状をしている。このため、レンズ駆動装置１０１を組み立てる際に、この２つの外側面１５ｖを外ヨーク１４Ａに押しあてて配置することができ、磁石１５の位置決めを容易に行うことができる。
【００３８】
図９は、本考案の第１実施形態のレンズ駆動装置を説明する図であって、図１に示すベース部材１８に下側板ばね（１６Ｃ、１６Ｅ）を組み付けた斜視図である。図１０は、本考案の第１実施形態のレンズ駆動装置におけるスペーサ１９を説明する図であって、図１０（ａ）は、図１に示すＺ１側から見た上面斜視図であり、図１０（ｂ）は、図１に示すＺ２側から見た底面斜視図である。図１１は、本考案の第１実施形態のレンズ駆動装置１０１を説明する図であって、図３（ａ）に示すＸＩ−ＸＩ線における断面図である。図１２は、本考案の第１実施形態のレンズ駆動装置を説明する図であって、図１１に示すＰ部分の拡大断面図である。図１３は、本考案の第１実施形態のレンズ駆動装置１０１を説明する図であって、図３（ａ）に示すＸＩＩＩ−ＸＩＩＩ線における断面図である。図１４は、本考案の第１実施形態のレンズ駆動装置１０１を説明する図であって、図３（ａ）に示すＸＩＶ−ＸＩＶ線における断面図である。図１５は、本考案の第１実施形態のレンズ駆動装置を説明する図であって、図１５（ａ）は、図１３に示すＱ部分の拡大断面図であり、図１５（ｂ）は、図１４に示すＲ部分の拡大断面図である。なお、図１１ないし図１５に示すレンズ駆動装置１０１は、レンズ体の光軸方向（図中に示すＺ方向）が鉛直方向（重力方向）に対して直交する水平方向となるようにレンズ保持部材１２を向けており、しかもコイル１３に通電しない状態である。以下、この状態を初期状態と言う。
【００３９】
固定部材Ｒ１のベース部材１８は、合成樹脂材料からなり、図１及び図９に示すように、外形が矩形の板状形状で構成され、中央に円形の開口１８ｋが形成されている。
【００４０】
また、ベース部材１８の上面には、上方に向けて突出する４つの突設部１８ｔ（１８ｔ１、１８ｔ２、１８ｔ３、１８ｔ４）が四隅に設けられているとともに、それぞれ対向する箇所に２つ、上方に向けて突出する第２受け部１８ｕ（１８ｕ１、１８ｕ２）が設けられている。この第２受け部１８ｕは、無限遠撮影のため、無限遠位置寄りにレンズ保持部材１２が移動した際に、レンズ保持部材１２の下部に設けられた第２当接部１２ｇと当接が可能になっており、レンズ保持部材１２が他の部品よりも最優先でこの固定部材Ｒ１のベース部材１８に当接する。
【００４１】
ここで、前述したレンズ保持部材１２の第１当接部１２ｆ及びヨーク１４の第１受け部１４ｒとレンズ保持部材１２の第２当接部１２ｇ及びベース部材１８の第２受け部１８ｕとについて、説明を加える。
【００４２】
本考案の第１実施形態のレンズ駆動装置１０１では、レンズ駆動装置１０１が組み立てられて撮像素子が実装された基板上に実装され実際の製品に適用された際に、初期状態において、図１５に示すように、第１当接部１２ｆ（１２ｆ１）と第１受け部１４ｒ（１４ｒ１）との間の距離（図１５（ａ）示すＤ１）が、第２当接部１２ｇ（１２ｇ２）と第２受け部１８ｕ（１８ｕ２）との間の距離（図１５（ｂ）示すＤ２）よりも大きくなっている。これは、被写体に対して無限遠位置とマクロ位置の中間よりも無限遠位置側にレンズ保持部材１２が配置されていることとなる。このため、初期状態におけるレンズ体の位置を一般的に用いられる常用位置（通常位置、無限遠位置寄りの位置）により近づけることができるので、コイル１３に流す電流は不要か極めて少ないものとできる。このことにより、被写体を撮影する際の消費電力を低減させることが可能となる。特に、動画モードでの撮影には、より一層の消費電力の低減をはかることができる。
【００４３】
ベース部材１８には、図９、図１１及び図１２に示すように、銅や鉄若しくはそれらを主成分とした合金等の材質を用いた金属板からなる端子７が、インサート成形されて埋め込まれており、電気的に絶縁された２つの端子７（端子７Ｃ及び端子７Ｅ）のそれぞれは、図示していない撮像素子を実装した基板と電気的に接続され、電力を供給できるようになっている。そして、端子７の一方の端子７Ｃは、下側板ばね１６Ｃと電気的に接続されるとともに、端子７の他方の端子７Ｅは、下側板ばね１６Ｅと電気的に接続されており、この端子７Ｃ及び端子７Ｅから、下側板ばね１６Ｃ及び下側板ばね１６Ｅを介して、コイル１３に電流を流すことができる。
【００４４】
また、ベース部材１８には、図１１ないし図１４に示すように、銅や鉄若しくはそれらを主成分とした合金等の材質を用いた金属板からなる接続部材５７が、端子７と同様に、インサート成形されて埋め込まれており、接続部材５７の一部は、図３に示すように、ヨーク１４の四隅に一部を露出している。そして、ヨーク１４の外ヨーク１４Ａの内壁とベース部材１８の外周側面が組み合わさって位置決めされた後に、ベース部材１８の接続部材５７とヨーク１４の四隅とのつなぎ目部分を４箇所溶接して、ヨーク１４をベース部材１８に固定している。
【００４５】
固定部材Ｒ１のスペーサ１９は、図１及び図１０に示すように、中央に円形状の開口１９ｋを有した枠形の形状をしており、上側板ばね１６Ａの上方（図１に示すＺ１側）に配設されている。
【００４６】
また、スペーサ１９の上面（図１０に示すＺ１側の面）には、図１及び図１０（ａ）に示すように、対向する角部の一方に、上方に延出した２つの突出部１９ａ及び突出部１９ｂが設けられ、レンズ駆動装置１０１が組み立てられた際には、図２及び図３（ａ）に示すように、突出部１９ａ及び突出部１９ｂがヨーク１４の貫通穴１４ａ及び貫通穴１４ｂに挿通され、スペーサ１９とヨーク１４とが位置決めされる。
【００４７】
また、スペーサ１９の下面（図１に示すＺ２側の面）には、図１０（ｂ）に示すように、対向する枠の一方組に、下方（図１０に示すＺ２側）に向けて突出する凸部１９ｔが４箇所形成されるとともに、枠の４つの角部に、平面形状の当接部１９ｐが形成されている。また、凸部１９ｔが形成されていない対向する枠の他方には、当接部１９ｐより上方に凹んだ段差部１９ｄが形成されて、直下に配設された上側板ばね１６Ａの可動を許容している。
【００４８】
図１６は、本考案の第１実施形態のレンズ駆動装置における付勢部材１６を示す図であって、図１６（ａ）は、上側板ばね１６Ａの上面図であり、図１６（ｂ）は、上側板ばね１６Ａの正面図である。図１７は、本考案の第１実施形態のレンズ駆動装置における付勢部材１６を示す図であって、図１７（ａ）は、下側板ばね（１６Ｃ、１６Ｅ）の上面図であり、図１７（ｂ）は、下側板ばね（１６Ｃ、１６Ｅ）の正面図である。
【００４９】
付勢部材１６は、図３（ａ）に示すように、ヨーク１４の上部開口部分よりも大径な開口を有し、図１に示すように、レンズ保持部材１２とスペーサ１９との間に配設される上側板ばね１６Ａ（図１６を参照）と、レンズ保持部材１２とベース部材１８との間に配設されベース部材１８に載置される２枚の下側板ばね１６Ｃ及び下側板ばね１６Ｅ（図１７を参照）とから構成される。そして、レンズ保持部材１２と付勢部材１６のそれぞれ（１６Ａ、１６Ｃ、１６Ｅ）が係合され、レンズ保持部材１２がレンズ体の光軸方向（図２に示すＺ方向）へ移動可能になるように、レンズ保持部材１２を空中で支持している。
【００５０】
また、詳細に図示はしていないが、下側板ばね１６Ｃは、コイル１３の一端側と電気的に接続されるとともに（図４（ｂ）に示すＣＮ１の部分）、下側板ばね１６Ｅは、コイル１３の他端側と電気的に接続されている（図４（ｂ）に示すＣＮ２の部分）。また、詳細に図示はしていないが、下側板ばね１６Ｃは、端子７Ｃと電気的に接続されるとともに、下側板ばね１６Ｅは、端子７Ｅと電気的に接続されている。これにより、この下側板ばね１６Ｃ及び下側板ばね１６Ｅを介して、コイル１３に電流を流すことができる。
【００５１】
付勢部材１６の上側板ばね１６Ａは、リン青銅等の板材料を用い、金型を用いた抜き加工等で、図１６（ａ）に示すように、矩形状に形成されている。そして、上側板ばね１６Ａは、レンズ保持部材１２に固定される４つの第１部分１６ａと、固定部材Ｒ１の一部の機能を担っているスペーサ１９の部分に固定され一体化される４つの第２部分１６ｂと、第１部分１６ａと第２部分１６ｂとの間に位置する４つの弾性腕部１６ｐと、を有している。また、付勢部材１６の上側板ばね１６Ａには、他に、第１部分１６ａのそれぞれを繋ぐ固定連結部１６ｅと、第２部分１６ｂのそれぞれを繋ぎ弾性腕部１６ｐの他端と接続している桟部１６ｄと、を有している。そして、この第１部分１６ａと第２部分１６ｂと弾性腕部１６ｐとで、レンズ保持部材１２が光軸方向（図２に示すＺ方向）へ移動可能になるように、レンズ保持部材１２の上部を空中で支持している。
【００５２】
上側板ばね１６Ａの第１部分１６ａは、図１６（ａ）に示すように、矩形状に形成され、対称軸ＹＣＬを挟んで、それぞれ２箇所形成されている。また、第１部分１６ａのそれぞれは、弾性腕部１６ｐの一端と繋がっているとともに、２箇所の第１部分１６ａ同士は、固定連結部１６ｅにより、繋がっている。
【００５３】
また、第１部分１６ａは、図４（ａ）及び図５（ｂ）に示すように、図７（ａ）に示す庇部１２ｈの上面に載置され、例えば接着材でレンズ保持部材１２に固定される。この際には、庇部１２ｈの凹部１２ｒに接着材を充填して、上側板ばね１６Ａをレンズ保持部材１２に載置した後、接着材を硬化して、固定するようにすると良い。また、上側板ばね１６Ａ側（図５に示すＺ１側）から第１部分１６ａ間の固定連結部１６ｅに接着材を塗布して、固定するようにしても良い。
【００５４】
上側板ばね１６Ａの第２部分１６ｂは、図１６（ａ）に示すように、台形状に形成され、矩形状の四隅に配置されている。また、第２部分１６ｂのそれぞれは、桟部１６ｄに繋がっており、この桟部１６ｄを介して弾性腕部１６ｐの他端と接続されている。
【００５５】
また、第２部分１６ｂは、レンズ駆動装置１０１が組み立てられた際には、図４（ａ）、図５（ｂ）、図１１及び図１２に示すように、磁石１５に載置され、更に上方に載置されたスペーサ１９の当接部１９ｐ（図１０（ｂ）を参照）と磁石１５の上面１５ｕ（図５（ｂ）を参照）とに挟持されて保持される。この際に、ヨーク１４がベース部材１８に固定されることにより、ヨーク１４と係合されているスペーサ１９に当接し、磁石１５との間に挟持されている上側板ばね１６Ａがベース部材１８と一体化される。このようにして、ヨーク１４、磁石１５、ベース部材１８及びスペーサ１９が関わって、固定部材Ｒ１を構成し、固定部材Ｒ１が上側板ばね１６Ａの第２部分１６ｂを確実に固定している。
【００５６】
上側板ばね１６Ａの桟部１６ｄは、図１６（ａ）に示すように、第２部分１６ｂのそれぞれを繋ぐとともに、弾性腕部１６ｐの他端と接続しており、矩形状の対向する２辺を形成している。
【００５７】
また、桟部１６ｄには、図１６（ａ）に示すように、対称軸ＹＣＬを挟んで、それぞれ２箇所、合計４つの切欠け部１６ｃが形成されている。この切欠け部１６ｃは、スペーサ１９が上側板ばね１６Ａの上に載置された際に、図１０（ｂ）に示すスペーサ１９の凸部１９ｔが切欠け部１６ｃに係合することで、上側板ばね１６Ａとスペーサ１９との位置決めを行っている。
【００５８】
上側板ばね１６Ａの弾性腕部１６ｐは、図１６（ａ）に示すように、２箇所の屈曲部を有する蛇行形状をしており、上述したように、弾性腕部１６ｐの一端が第１部分１６ａに接続されているとともに、弾性腕部１６ｐの他端が桟部１６ｄに接続されている。なお、上側板ばね１６Ａに負荷がかかっていない場合は、図１６（ｂ）に示すように、フラットな形状をしており、第１部分１６ａ、第２部分１６ｂ及び弾性腕部１６ｐは、同一平面に形成されている。
【００５９】
付勢部材１６の下側板ばね１６Ｃは、上側板ばね１６Ａと同じリン青銅等の板材料を用い、金型を用いた抜き加工等で、図１７（ａ）に示すように、内側形状が半月形状に形成されている。そして、上側板ばね１６Ｃは、レンズ保持部材１２に固定される２つの第１部分１６ｈと、固定部材Ｒ１であるベース部材１８側に固定される２つの第２部分１６ｉと、第１部分１６ｈと第２部分１６ｉとの間に位置する２つの弾性腕部１６ｑと、を有している。そして、この第１部分１６ｈと第２部分１６ｉと弾性腕部１６ｑとで、レンズ保持部材１２の下部の片側を支持している。
【００６０】
下側板ばね１６Ｃの第１部分１６ｈは、図１７（ａ）に示すように、矩形状に形成され、２つのそれぞれは、一方の端部に形成されている。また、第１部分１６ｈのそれぞれは、弾性腕部１６ｑの一端と繋がっているとともに、２箇所の第１部分１６ｈ同士は、固定連結部１６ｆにより、繋がっている。また、第１部分１６ｈには、それぞれ貫通孔１６ｋが設けられており、レンズ駆動装置１０１が組み立てられた際には、この２つの貫通孔１６ｋは、図４（ｂ）及び図６（ｂ）に示すように、レンズ保持部材１２の凸設部１２ｔ（１２ｔ１、１２ｔ２）と勘合し、レンズ保持部材１２に位置決めされ固定される。また、この凸設部１２ｔ（１２ｔ１、１２ｔ２）を用いて、熱かしめを行うことにより、より確実に下側板ばね１６Ｃをレンズ保持部材１２に固定することができる。
【００６１】
下側板ばね１６Ｃの第２部分１６ｉは、図１７（ａ）に示すように、菱形形状に形成され、２つのそれぞれは、他方の端部に形成されている。また、第２部分１６ｉのそれぞれは、弾性腕部１６ｑの他端と繋がっているとともに、２箇所の第２部分１６ｉ同士は、固定接続部１６ｇにより、繋がっている。また、第２部分１６ｉには、それぞれ貫通孔１６ｍが設けられており、レンズ駆動装置１０１が組み立てられた際には、この２つの貫通孔１６ｍは、図９に示すように、ベース部材１８の突設部１８ｔ（１８ｔ１、１８ｔ２）と勘合し、固定部材Ｒ１のベース部材１８に位置決めされ固定される。
【００６２】
下側板ばね１６Ｃの弾性腕部１６ｑは、図１７（ａ）に示すように、２箇所の屈曲部を有する蛇行形状をしており、上述したように、弾性腕部１６ｑの一端が第１部分１６ｈに接続されているとともに、弾性腕部１６ｑの他端が第２部分１６ｉに接続されている。なお、上側板ばね１６Ａと同様に、下側板ばね１６Ｃに負荷がかかっていない場合は、図１７（ｂ）に示すように、フラットな形状をしており、第１部分１６ｈ、第２部分１６ｉ及び弾性腕部１６ｑは、同一平面に形成されている。
【００６３】
付勢部材１６の下側板ばね１６Ｅは、下側板ばね１６Ｃと同様に、同じリン青銅等の板材料を用い、金型を用いた抜き加工等で、図１７（ａ）に示すように、内側形状が半月形状に形成されている。そして、下側板ばね１６Ｅは、レンズ保持部材１２に固定される２つの第１部分１６ｖと、固定部材Ｒ１であるベース部材１８側に固定される２つの第２部分１６ｗと、第１部分１６ｖと第２部分１６ｗとの間に位置する２つの弾性腕部１６ｒと、を有している。そして、この第１部分１６ｖと第２部分１６ｗと弾性腕部１６ｒとで、レンズ保持部材１２の下部のもう一方の片側を支持している。
【００６４】
以上述べてきたように、本考案の第１実施形態では、上側板ばね１６Ａと下側板ばね（１６Ｃ、１６Ｅ）の材質が同じで、しかも板厚を同じ厚みにしている。これにより、同じ材料を用いて製造することができ、上側板ばね１６Ａと下側板ばね（１６Ｃ、１６Ｅ）を容易に作製することができる。しかも、ばね定数を決める際に、同じ材料、板厚で設計（計算）できるので、容易にばね定数を所望の値に合わせることができる。特に、弾性腕部（１６ｐ、１６ｑ、１６ｒ）の形状の違いより、板厚の違いの方が、その厚みの３乗でばね定数に効いてくるので、よりばね定数を合わせるのに重要である。
【００６５】
下側板ばね１６Ｅの第１部分１６ｖは、図１７（ａ）に示すように、矩形状に形成され、２つのそれぞれは、一方の端部に形成されている。また、第１部分１６ｖのそれぞれは、弾性腕部１６ｒの一端と繋がっているとともに、２箇所の第１部分１６ｖ同士は、固定連結部１６ｘにより、繋がっている。また、第１部分１６ｖには、それぞれ貫通孔１６ｙが設けられており、レンズ駆動装置１０１が組み立てられた際には、この２つの貫通孔１６ｙは、図４（ｂ）及び図６（ｂ）に示すように、レンズ保持部材１２の凸設部１２ｔ（１２ｔ３、１２ｔ４）と勘合し、レンズ保持部材１２に位置決めされ固定される。また、この凸設部１２ｔ（１２ｔ３、１２ｔ４）を用いて、熱かしめを行うことにより、より確実に下側板ばね１６Ｅをレンズ保持部材１２に固定することができる。
【００６６】
下側板ばね１６Ｅの第２部分１６ｗは、図１７（ａ）に示すように、菱形状に形成され、２つのそれぞれは、他方の端部に形成されている。また、第２部分１６ｗのそれぞれは、弾性腕部１６ｒの他端と繋がっているとともに、２箇所の第２部分１６ｗ同士は、固定接続部１６ｚにより、繋がっている。また、第２部分１６ｗには、それぞれ貫通孔１６ｎが設けられており、レンズ駆動装置１０１が組み立てられた際には、この２つの貫通孔１６ｎは、図９に示すように、ベース部材１８の突設部１８ｔ（１８ｔ３、１８ｔ４）と勘合し、固定部材Ｒ１のベース部材１８に位置決めされ固定される。
【００６７】
下側板ばね１６Ｅの弾性腕部１６ｒは、図１７（ａ）に示すように、２箇所の屈曲部を有する蛇行形状をしており、上述したように、弾性腕部１６ｒの一端が第１部分１６ｖに接続されているとともに、弾性腕部１６ｒの他端が第２部分１６ｗに接続されている。なお、上側板ばね１６Ａ及びと下側板ばね１６Ｃ同様に、下側板ばね１６Ｅに負荷がかかっていない場合は、図１７（ｂ）に示すように、フラットな形状をしており、第１部分１６ｖ、第２部分１６ｗ及び弾性腕部１６ｒは、同一平面に形成されている。
【００６８】
以上のように構成されたレンズ駆動装置１０１は、以下述べるようにして組み立てられる。
【００６９】
先ず、図８に示すヨーク１４の収容部１４ｓに、図１０に示すスペーサ１９を収容する。その際に、スペーサ１９の突出部１９ａ及び突出部１９ｂが、ヨーク１４の貫通穴１４ａ及び貫通穴１４ｂに挿通されるようにする。
【００７０】
次に、上側板ばね１６Ａが固定されているとともにコイル１３が巻回されたレンズ保持部材１２をヨーク１４に収容する。その際に、スペーサ１９の当接部１９ｐに上側板ばね１６Ａの第２部分１６ｂが載置されるとともに、スペーサ１９の凸部１９ｔと上側板ばね１６Ａの切欠け部１６ｃとが係合され位置決めされる。
【００７１】
次に、図１に示す４つの磁石１５（１５Ａ、１５Ｂ、１５Ｃ、１５Ｄ）をヨーク１４の四隅に収容して、上側板ばね１６Ａの第２部分１６ｂに磁石１５の上面１５ｕを当接させるようにする。この際には、磁石１５の２つの外側面１５ｖをヨーク１４の外ヨーク１４Ａの内側に押しあてて配置する。また、この外ヨーク１４Ａの四隅近傍の側壁部及び上側板ばね１６Ａの第２部分１６ｂの部分に予め接着材を塗布しておく。そして、接着材を硬化させ、ヨーク１４の上面部１４Ｂにスペーサ１９、上側板ばね１６Ａの第２部分１６ｂ、及び磁石１５が積層した状態で、磁石１５をヨーク１４に接着固定する。これにより、図１１及び図１２に示すように、スペーサ１９及び上側板ばね１６Ａの第２部分１６ｂをヨーク１４の上面部１４Ｂと磁石１５の上面１５ｕとで挟持したようになる。このように、スペーサ１９、上側板ばね１６Ａ及び磁石１５を、ヨーク１４の上面部１４Ｂに一括して接着固定できるので、個々の部材同士を個々に取り付ける必要がない。このことにより、レンズ駆動装置１０１を組み立てる際に、簡易に組み立てることができ、生産性の向上をはかることができる。
【００７２】
次に、図１７に示す下側板ばね（１６Ｃ、１６Ｅ）をレンズ保持部材１２の底面に載置し、下側板ばね１６Ｃの貫通孔１６ｋとレンズ保持部材１２の凸設部１２ｔ（１２ｔ１、１２ｔ２）とを勘合させるとともに、下側板ばね１６Ｅの貫通孔１６ｙとレンズ保持部材１２の凸設部１２ｔ（１２ｔ３、１２ｔ４）とを勘合させる。そして、この凸設部１２ｔ（１２ｔ１、１２ｔ２、１２ｔ３、１２ｔ４）を熱かしめ或いは接着固定することにより、下側板ばね（１６Ｃ、１６Ｅ）がレンズ保持部材１２に固定される。
【００７３】
最後に、各部材が収容されたヨーク１４をベース部材１８に覆い被せて、ヨーク１４の外ヨーク１４Ａの内壁とベース部材１８の外周側面とを組み合わせて位置決めする。その際には、下側板ばね１６Ｃの貫通孔１６ｍとベース部材１８の突設部１８ｔ（１８ｔ１、１８ｔ２）とを勘合させるとともに、下側板ばね１６Ｅの貫通孔１６ｎとベース部材１８の突設部１８ｔ（１８ｔ３、１８ｔ４）とを勘合させる。これにより、固定部材Ｒ１のベース部材１８に下側板ばね（１６Ｃ、１６Ｅ）が固定される。また、ベース部材１８の接続部材５７とヨーク１４の四隅とのつなぎ目部分を４箇所溶接して、ヨーク１４をベース部材１８に固定している。これにより、ヨーク１４は、ベース部材１８と一体化される。以上のようにして、レンズ駆動装置１０１が組み立てられる。
【００７４】
以上のようにして組み立てられたレンズ駆動装置１０１は、レンズ体の光軸方向（図中に示すＺ方向）が鉛直方向（重力方向）に対して直交する水平方向となるようにレンズ保持部材１２を向けた状態（初期状態）で、上側板ばね１６Ａ及び下側板ばね（１６Ｃ、１６Ｅ）は、図６のような状態になっている。つまり、上側板ばね１６Ａの第２部分１６ｂは、図６（ａ）に示すように、レンズ保持部材１２の庇部１２ｈ（上側板ばね１６Ａの第１部分１６ａが固定されている部分）から上方（Ｚ１側）へ離れる方向に位置している。また、図６（ｂ）に示すように、下側板ばね１６Ｃの第２部分１６ｉは、レンズ保持部材１２の凸設部１２ｔ１及び凸設部１２ｔ２の付け根（下側板ばね１６Ｃの第１部分１６ｈが固定されている部分）から下方（Ｚ２側）へ離れる方向に位置するとともに、下側板ばね１６Ｅの第２部分１６ｗは、レンズ保持部材１２の凸設部１２ｔ３及び凸設部１２ｔ４の付け根（下側板ばね１６Ｅの第１部分１６ｖが固定されている部分）から下方（Ｚ２側）へ離れる方向に位置している。
【００７５】
これによれば、上側板ばね１６Ａ及び下側板ばね（１６Ｃ、１６Ｅ）は、光軸方向に対して互いに異なる方向にレンズ保持部材１２を付勢するようになっている。このため、光軸方向にレンズ保持部材１２を移動させた際にも、レンズ保持部材１２に対して付勢方向にプリテンションが常にかかるようにできる。それ故に、上側板ばね１６Ａ及び下側板ばね（１６Ｃ、１６Ｅ）がレンズ保持部材１２を付勢する付勢方向を反転（逆転）させない領域で、レンズ保持部材１２を移動させてレンズ駆動装置１０１を使用することができる。このことにより、電流量に応じて円滑にレンズ保持部材１２を移動させることができ、より精度の良いレンズ駆動装置１０１を提供することができる。
【００７６】
また、上側板ばね１６Ａ及び下側板ばね（１６Ｃ、１６Ｅ）の製造上のバラツキ等で、上側板ばね１６Ａ及び下側板ばね（１６Ｃ、１６Ｅ）の付勢方向が逆方向になった際に、ばねの反転や付勢力の変化点（屈曲点）が生じる場合がある。このような場合であっても、上側板ばね１６Ａ及び下側板ばね（１６Ｃ、１６Ｅ）がレンズ保持部材１２を付勢する付勢方向を反転（逆転）させない領域で用いているので、不具合が生じる虞を回避することができる。
【００７７】
また、上側板ばね１６Ａの第１部分１６ａ及び第２部分１６ｂと、下側板ばね（１６Ｃ、１６Ｅ）の第１部分（１６ｈ、１６ｖ）及び第２部分（１６ｉ、１６ｗ）と、の位置関係で、レンズ保持部材１２の初期位置が決められている。このため、適用される製品側の要求等により、レンズ保持部材１２の初期位置を変更したいときに、上側板ばね１６Ａ或いは下側板ばね（１６Ｃ、１６Ｅ）が固定される第１部分（１６ａ、１６ｈ、１６ｖ）及び第２部分（１６ｂ、１６ｉ、１６ｗ）の取付け位置の変更だけで、初期位置を変更することができる。例えば、一つのレンズ保持部材１２の部品を変更するだけで、初期位置の微調整を容易に行うことができる。
【００７８】
また、本考案の第１実施形態では、図６（ａ）に示すように、上側板ばね１６Ａがレンズ保持部材１２を下側板ばね（１６Ｃ、１６Ｅ）から離れる方向へ付勢するとともに、図６（ｂ）に示すように、下側板ばね（１６Ｃ、１６Ｅ）がレンズ保持部材１２を上側板ばね１６Ａから離れる方向へ付勢しているようにしている。これにより、上側板ばね１６Ａの第１部分１６ａと下側板ばね１６Ｃの第１部分１６ｈ及び下側板ばね１６Ｅの第１部分１６ｖとの間の距離より、上側板ばね１６Ａの第２部分１６ｂと下側板ばね１６Ｃの第２部分１６ｉ及び下側板ばね１６Ｅの第２部分１６ｗとの間の距離を大きくしている。このため、互いにレンズ保持部材１２を押し付けあう方向へ付勢する場合に比べて、上側板ばね１６Ａの第２部分１６ｂと下側板ばね１６Ｃの第２部分１６ｉ及び下側板ばね１６Ｅの第２部分１６ｗとの間の距離を大きくすることができる。このことにより、磁石１５やコイル１３等の移動機構Ｍ１を配置する収容スペースをより大きくとることができ、レンズ駆動装置１０１を小型化しても、推力を維持することが可能となる。
【００７９】
また、本考案の第１実施形態では、上側板ばね１６Ａの第２部分１６ｂと下側板ばね１６Ｃの第２部分１６ｉ及び下側板ばね１６Ｅの第２部分１６ｗとの間に、磁石１５を配設している。これにより、磁石１５の収容スペースをより大きくでき、レンズ駆動装置１０１を小型化しても、推力を維持することが可能となる。また、必要な推力によっては、磁石１５の数を減らすことも可能となる。
【００８０】
以上のように構成された本考案の第１実施形態のレンズ駆動装置１０１における、効果について、以下に説明する。
【００８１】
本考案の第１実施形態のレンズ駆動装置１０１は、初期状態において、第１当接部１２ｆ（１２ｆ１）と第１受け部１４ｒ（１４ｒ１）との間の距離（図１５（ａ）示すＤ１）が、第２当接部１２ｇ（１２ｇ２）と第２受け部１８ｕ（１８ｕ２）との間の距離（図１５（ｂ）示すＤ２）よりも大きくなっているので、被写体に対して無限遠位置とマクロ位置の中間よりも無限遠位置側にレンズ保持部材１２が配置されていることとなる。このため、初期状態におけるレンズ体の位置を一般的に用いられる常用位置（通常位置、無限遠位置寄りの位置）により近づけることができるので、コイル１３に流す電流は不要か極めて少ないものとできる。このことにより、被写体を撮影する際の消費電力を低減させることが可能となる。特に、動画モードでの撮影には、より一層の消費電力の低減をはかることができる。
【００８２】
また、上側板ばね１６Ａ及び下側板ばね（１６Ｃ、１６Ｅ）が光軸方向に対して互いに異なる方向にレンズ保持部材１２を付勢するようになっているので、光軸方向にレンズ保持部材１２を移動させた際に、レンズ保持部材１２に対して付勢方向にプリテンションが常にかかるように構成することができる。このため、上側板ばね１６Ａ及び下側板ばね（１６Ｃ、１６Ｅ）がレンズ保持部材１２を付勢する付勢方向を反転（逆転）させない領域で、レンズ保持部材１２を移動させてレンズ駆動装置１０１を使用することができる。このことにより、電流量に応じて円滑にレンズ保持部材１２を移動させることができ、より精度の良いレンズ駆動装置１０１を提供することができる。
【００８３】
また、上側板ばね１６Ａがレンズ保持部材１２を下側板ばね（１６Ｃ、１６Ｅ）から離れる方向へ付勢するとともに、下側板ばね（１６Ｃ、１６Ｅ）がレンズ保持部材１２を上側板ばね１６Ａから離れる方向へ付勢しているので、上側板ばね１６Ａの第１部分１６ａと下側板ばね（１６Ｃ、１６Ｅ）の第１部分（１６ｈ、１６ｖ）との間の距離より、上側板ばね１６Ａの第２部分１６ｂと下側板ばね（１６Ｃ、１６Ｅ）の第２部分（１６ｉ、１６ｗ）との間の距離を大きくしている。このため、互いにレンズ保持部材１２を押し付けあう方向へ付勢する場合に比べて、上側板ばね１６Ａの第２部分１６ｂと下側板ばね（１６Ｃ、１６Ｅ）の第２部分（１６ｉ、１６ｗ）との間の距離を大きくすることができる。このことにより、磁石１５やコイル１３等の移動機構Ｍ１を配置する収容スペースをより大きくとることができ、レンズ駆動装置１０１を小型化しても、推力を維持することが可能となる。
【００８４】
また、上側板ばね１６Ａの第２部分１６ｂと下側板ばね１６Ｃの第２部分１６ｉ及び下側板ばね１６Ｅの第２部分１６ｗとの間に、磁石１５を配設しているので、磁石１５の収容スペースをより大きくでき、レンズ駆動装置１０１を小型化しても、推力を維持することが可能となる。また、必要な推力によっては、磁石１５の数を減らすことも可能となる。
【００８５】
また、上側板ばね１６Ａと下側板ばね（１６Ｃ、１６Ｅ）の板厚が同じなので、同じ材料を用いて製造することができ、上側板ばね１６Ａと下側板ばね（１６Ｃ、１６Ｅ）を容易に作製することができる。しかも、ばね定数を決める際に、同じ材料、板厚で設計（計算）できるので、容易にばね定数を所望の値に合わせることができる。
【００８６】
なお、本考案は上記実施形態に限定されるものではなく、例えば次のように変形して実施することができ、これらの実施形態も本考案の技術的範囲に属する。
【００８７】
＜変形例１＞
上記第１実施形態では、上側板ばね１６Ａの第２部分１６ｂを磁石１５とスペーサ１９とで挟持し固定部材Ｒ１側に固定するように好適に構成したが、固定部材Ｒ１のスペーサ１９に上側板ばね１６Ａの第２部分１６ｂと係合する部分を設け、固定部材Ｒ１のスペーサ１９に上側板ばね１６Ａを固定するように構成しても良い。
【００８８】
＜変形例２＞
上記第１実施形態では、固定部材Ｒ１の一部の機能を担っているヨーク１４に第１受け部１４ｒ（１４ｒ１、１４ｒ２、１４ｒ３、１４ｒ４）を設けるように構成にしたが、固定部材Ｒ１のスペーサ１９に第１受け部１４ｒを設ける構成であっても良い。
【００８９】
＜変形例３＞
上記第１実施形態では、上側板ばね１６Ａがレンズ保持部材１２を下側板ばね（１６Ｃ、１６Ｅ）から離れる方向へ付勢するとともに、下側板ばね（１６Ｃ、１６Ｅ）がレンズ保持部材１２を上側板ばね１６Ａから離れる方向へ付勢するように好適に構成したが、上側板ばね１６Ａがレンズ保持部材１２を下側板ばね（１６Ｃ、１６Ｅ）に近づく方向へ付勢するとともに、下側板ばね（１６Ｃ、１６Ｅ）がレンズ保持部材１２を上側板ばね１６Ａに近づく方向へ付勢するように構成しても良い。
【００９０】
本考案は上記実施の形態に限定されず、本考案の目的の範囲を逸脱しない限りにおいて適宜変更することが可能である。
【符号の説明】
【００９１】
１２    レンズ保持部材
１２ｆ、１２ｆ１、１２ｆ２、１２ｆ３、１２ｆ４  第１当接部
１２ｇ、１２ｇ１、１２ｇ２  第２当接部
１３    コイル
１４    ヨーク
１４ｒ、１４ｒ１、１４ｒ２、１４ｒ３、１４ｒ４  第１受け部
１５    磁石
１６    付勢部材
１６Ａ  上側板ばね
１６Ｃ、１６Ｅ  下側板ばね
１６ａ、１６ｈ、１６ｖ  第１部分
１６ｂ、１６ｉ、１６ｗ  第２部分
１８ｕ、１８ｕ１、１８ｕ２  第２受け部
Ｍ１    移動機構
Ｒ１    固定部材
１０１  レンズ駆動装置
【図１】
0003186519.tif 000003
【図２】
0003186519.tif 000004
【図３】
0003186519.tif 000005
【図４】
0003186519.tif 000006
【図５】
0003186519.tif 000007
【図６】
0003186519.tif 000008
【図７】
0003186519.tif 000009
【図８】
0003186519.tif 000010
【図９】
0003186519.tif 000011
【図１０】
0003186519.tif 000012
【図１１】
0003186519.tif 000013
【図１２】
0003186519.tif 000014
【図１３】
0003186519.tif 000015
【図１４】
0003186519.tif 000016
【図１５】
0003186519.tif 000017
【図１６】
0003186519.tif 000018
【図１７】
0003186519.tif 000019
【図１８】
0003186519.tif 000020
【図１９】
0003186519.tif 000021